(57)【要約】【課題】  構成強度が高く、また構造が簡単である回動角度調整手段を備えた直管形のＬＥＤ照明器具を提供する。【解決手段】  直管状のＬＥＤ光源部Ａと、このＬＥＤ光源部Ａの端部に設けた固定口金部材５と、この固定口金部材５の外端部に設けた回動口金部材１０と、この回動口金部材１０から突出して設けた電極端子２１を備える。前記の固定口金部材５を円筒形として、その端面部に軸方向外側に向く第１のギヤ部６を、回動口金部材１０の端面部に軸方向に向いて第１のギヤ部６に噛み合う第２のギヤ部１１を設ける。前記の固定口金部材５と回動口金部材１０を軸方向の固定ネジ２３によって締付け固定する。【選択図】  図１
0003185507.tif 000002
【実用新案登録請求の範囲】
【請求項１】
直管状のＬＥＤ光源部と、このＬＥＤ光源部の端部に設けた固定口金部材と、この固定口金部材の外端部に設けた回動口金部材と、この回動口金部材から突出して設けた電極端子とを有する直管形のＬＥＤ照明器具において、
前記固定口金部材を円筒形として、その端面部に軸方向外側に向く第１のギヤ部を、回動口金部材の端面部に軸方向に向いて第１のギヤ部に噛み合う第２のギヤ部を設けると共に、前記固定口金部材と回動口金部材を軸方向の固定ネジによって締付け固定したことを特徴とする直管形のＬＥＤ照明器具。
【請求項２】
端子キャップを介して電極端子を回動口金部材に取りつけ固定すると共に、この端子キャップを固定口金部材の外周面に外套して設けたことしたことを特徴とする請求項１の直管形のＬＥＤ照明器具。
【考案の詳細な説明】
【技術分野】
【０００１】
本考案は、照射角度を調整できるようにした直管形のＬＥＤ照明器具に関するものである。
【背景技術】
【０００２】
近年、ＬＥＤ光源を使用した直管形の照明器具が普及しており、広く一般家庭、オフィスさらには工場などで供用されている。またこのものにおいては、利便性を考慮して光源を軸回りにおいて回動調整（角度調整）できるようにしたものも提案されている。（特許文献１参照）
【０００３】
この従来の発明に係るＬＥＤ照明器具は、図４の説明図のように、直管状のＬＥＤ光源部１０１と、このＬＥＤ光源部１０１の端部に設けた固定口金部材１０２と、ＬＥＤ光源部１０１の長手方向を中心として回転する回動口金部材１０３と、回動口金部材１０３から突出する電極端子１０４を備えている。
【０００４】
さらに詳細には、一方の固定口金部材１０２には、その内周面にスプライン状の溝１０５を設け、他方の回動口金部材１０３には、溝１０５に対応する爪１０６を設けてある。そして、この溝１０５と爪１０６の嵌合位置を変えることによってＬＥＤ光源部１０１の軸回りの角度位置を設定したものである。
【０００５】
上記の構成において、ＬＥＤ光源部１０１の角度調整を行う場合には、同図のように、回動口金部材１０３を固定口金部材１０２から一旦引き外して、溝１０５と爪１０６との嵌合を解除し、次いでＬＥＤ光源部１０１を所望方向に回して、爪１０６に対する溝１０５の対応位置を変更する。そして、その位置において回動口金部材１０３を固定口金部材１０２に挿し込んでセットする。
【０００６】
以上のようにセットした照明器具は、その電極端子１０４によって既設のソケット（図示省略）に取りつけることができるものであり、これによってＬＥＤ光源部１０１の光照射角度を任意に調整することができる。
【先行技術文献】
【特許文献】
【０００７】
【特許文献１】特開２０１０−２４４８１０号
【考案の概要】
【考案が解決しようとする課題】
【０００８】
前述した従来の照明器具は、固定口金部材１０２にスプライン状の溝１０５を、固定口金部材１０３に爪１０６を設けたものであり、嵌合強度をとるために長手方向（軸方向）のスペースを要する。また嵌合精度を厳しくするとスムーズな装脱操作ができないので、ガタを許容せざるを得ない。このため、連結強度が低く耐久的な使用には問題がある。
【０００９】
また上記のようにスプライン構造をとるときには、厳しい環境での繰り返し振動対策として、各口金部材部材の周方向に厚肉構成を要することになり、総じて構造が複雑で大径化するという点も指摘もされる。
【００１０】
本考案は、上記した従来技術の問題点に着目してなされたものであり、高い構造強度を得ることができ、また構造の簡単化の点でも有利な直管形のＬＥＤ照明器具を提供しようとするものである。
【課題を解決するための手段】
【００１１】
上記の課題を解決するために、本考案に係る直管形のＬＥＤ照明器具は、直管状のＬＥＤ光源部と、このＬＥＤ光源部の端部に設けた固定口金部材と、この固定口金部材の外端部に設けた回動口金部材と、この回動口金部材から突出して設けた電極端子とを有する直管形のＬＥＤ照明器具において、前記固定口金部材を円筒形として、その端面部に軸方向外側に向く第１のギヤ部を、回動口金部材の端面部に軸方向に向いて第１のギヤ部に噛み合う第２のギヤ部を設けると共に、前記固定口金部材と回動口金部材を軸方向の固定ネジによって締付け固定したことを特徴としている。
【００１２】
また本考案に係る直管形のＬＥＤ照明器具は、上記において、端子キャップを介して電極端子を回動口金部材に取りつけ固定すると共に、この端子キャップを固定口金部材の外周面に外套して設けたことを第２の特徴としている。
【考案の効果】
【００１３】
上記のように構成した課題解決手段によれば、固定口金部材と回動口金部材の嵌合手段としてスプライン構造がないので、構造を簡単化することができるという特徴がある。また両口金部材を固定ネジで軸方向に締付けるようにしたので充分な構造強度が得られるという優れた効果を発揮する。
【図面の簡単な説明】
【００１４】
【図１】本考案に係る直管形のＬＥＤ照明器具の一実施例を示す横断面図である。
【図２】同じく、縦断面図である。
【図３】固定口金部材と回動口金部材の構成を示す斜視図である。
【図４】従来のＬＥＤ照明器具を示す説明図である。
【考案を実施するための形態】
【００１５】
直管形のＬＥＤ照明器具の照射角度調整を行うべく、その構成の簡単化、剛性化を達成しようとする目的を最小の部品点数をもって合理的に実現した。
【実施例１】
【００１６】
図１および図２において、１は平面部に多数のＬＥＤ発光素子２を配設した実装基板  ３は実装基板１を取付固定したホルダ  このホルダ３は、アルミ材の引抜き加工によって成型断面を持ち、図１の左右方向に長く伸びている。４はホルダ３を外套したポリカーポネート製の円筒カバーであり、以上の各部材によってＬＥＤ光源部Aを構成する。
【００１７】
５はＬＥＤ光源部Aすなわちホルダ３の端部にネジ（図示省略）によって取付固定した円筒状の固定口金部材  この固定口金部材５の一端は、前記の円筒カバー４内に嵌入され、他端は外方に突出している。６は固定口金部材５の外方突出部に軸方向に設けた第１のギヤ部  ７は固定口金部材５の補強リブ  ８は補強リブ７の中央部に設けたボス部である。
【００１８】
次に１０は前記の固定口金部材５の外端部に配設した回動口金部材  この回動口金部材１０の端面部には、第１のギヤ部６に噛み合う第２のギヤ部１１を設ける。上記の回動口金部材１０は、ほぼ円盤状に構成してあり、その外周直径は前記固定口金部材５と同径である。
【００１９】
２０は回動口金部材１０に取りつけ、かつその外周面と固定口金部材５の外周面を外套するように配設した有底状の端子キャップ  ２１は端子キャップ２０に設けた２本の電極端子である。この電極端子２１はリード線２２によって前記の実装基板１に接続しており、ＬＥＤ発光素子２に直流電力を供給する。
【００２０】
２３は端子キャップ２０と回動口金部材１０の開口を通して固定口金部材５のボス部８に螺合した固定ネジである。端子キャップ２０は、回動口金部材１０に対してビスなどの部材をもって固定してある。
【００２１】
なお、前述した固定口金部材５は、ＬＥＤ光源部Ａすなわちホルダ３の両端部に配設するものであり、これに伴なって、回動口金部材１０、端子キャップ２０などの部材は長手方向の両端に配設する。
【００２２】
以上のように構成した直管形のＬＥＤ照明器具においては、固定ネジ２３を緩めた後、回動口金部材１０をギヤの嵌合方向と反対側の軸方向に移動することで、ＬＥＤ光源部Ａに対する回動口金部材１０の回動操作を行うことができる。
【００２３】
すなわち、上記の状態において回動口金部材１０を回転調整することによって、この回動口金部材１０に取りつけた電極端子２１に対するＬＥＤ光源部Ａの角度を適宜に設定することができる。この設定操作が終了したならば、回動口金部材１０を前記と逆方向に移動して第１のギヤ部６と第２のギヤ部１１を嵌合し、回動方向を固定する。
【００２４】
この後に固定ネジ２３をボス部８に螺合し、強く締付けることで回動口金部材１０と固定口金部材５を固定することができ、電極端子２１とＬＥＤ光源部Aを一体化することができる。そして、この状態において照明器具をランプソケット（図示省略）に取りつけることで、その保持を確実に行うことができる。
【産業上の利用可能性】
【００２５】
固定口金部材５の外周面に指標を、端子キャップ２０の外周面に角度目盛を付けるようにすれば、角度調整を目視して容易かつ迅速に行うことができるので、取りつけ施工時に便利である。
【符号の説明】
【００２６】
１  実装基板
２  ＬＥＤ発光素子
３  ホルダ
４  円筒カバー
Ａ  ＬＥＤ光源部
５  固定口金部材
６  第１のギヤ部
８  ボス部
１０  回動口金部材
１１  第２のギヤ部
２０  端子キャップ
２１  電極端子
２３  固定ネジ
【図１】
0003185507.tif 000003
【図２】
0003185507.tif 000004
【図３】
0003185507.tif 000005
【図４】
0003185507.tif 000006